(57)【要約】【課題】径方向のフランジを含むチューブに着脱自在に係合するためのクイックコネクタを提供する。【解決手段】径方向のフランジを含むチューブに着脱自在に係合するためのクイックコネクタが、筐体と、保持部材と、遮断部材とを備える。筐体は、略管状筐体である。保持部材が、筐体によって担持され、第１の位置から第２の位置まで移動可能である。第１の位置では、保持部材が、筐体に対して第１の位置にチューブを固定するように作動する。保持部材が第１の位置から第２の位置まで移動することを制限するように、遮断部材が作動する。【選択図】図１
2018028382.tif 000002
【特許請求の範囲】
【請求項１】
径方向のフランジを含むチューブに着脱自在に係合するためのクイックコネクタであって、
略管状の筐体と、
前記筐体によって担持される保持部材であって、前記保持部材が第１の位置から第２の位置まで移動可能であり、前記保持部材が、前記チューブを前記筐体に対して前記第１の位置に固定するように作動する、保持部材と、
前記筐体によって担持される遮断部材であって、前記保持部材が前記第１の位置から前記第２の位置まで移動することを制限するための遮断部材と
を備える、クイックコネクタ。
【請求項２】
前記保持部材が前記第１の位置から前記第２の位置まで径方向に膨張可能である、請求項１に記載のクイックコネクタ。
【請求項３】
前記保持部材が前記第１の位置から前記第２の位置まで弾性的に膨張する、請求項２に記載のクイックコネクタ。
【請求項４】
前記チューブが前記筐体の内部に軸方向に前進することに応答して、前記保持部材が前記第１の位置から前記第２の位置まで弾性的に膨張する、請求項２に記載のクイックコネクタ。
【請求項５】
前記遮断部材が、周方向のフランジおよび円柱形部分を含む、請求項１に記載のクイックコネクタ。
【請求項６】
前記筐体から前記チューブを解放するために、前記保持部材が、前記第１の位置から前記第２の位置まで手動で移動可能である、請求項１に記載のクイックコネクタ。
【請求項７】
前記チューブと組み合わされる、請求項１に記載のクイックコネクタ。
【請求項８】
径方向のフランジを含むチューブに着脱自在に係合するためのクイックコネクタであって、
前記チューブを受けるための開放端部を含む略管状の筐体と、
前記筐体によって担持される保持部材であって、前記保持部材が第１の位置から第２の位置まで弾性的に膨張可能であり、前記保持部材が、前記筐体の前記開放端部を部分的に越えて内側に延在する少なくとも１対の保持セグメントを含み、前記保持部材が前記第１の位置にあり、共通円から前記第２の位置に径方向に変位可能である場合、各保持セグメントが、前記径方向のフランジの最大直径よりも小さい直径を含む前記共通円上に正常に最内縁部を含み、前記保持部材が、前記チューブを前記筐体に対して前記第１の位置に固定するように作動する、保持部材と、
前記保持部材が前記第１の位置から前記第２の位置まで移動することを制限するために、前記筐体によって担持される遮断部材と
を備える、クイックコネクタ。
【請求項９】
前記保持部材が、前記保持部材上に直径方向に配置される第１のセグメントと、第２のセグメントとを含む、請求項８に記載のクイックコネクタ。
【請求項１０】
前記遮断部材が、下方円柱形部分と、上方円形フランジとを含むトップハット形状である、請求項８に記載のクイックコネクタ。
【請求項１１】
前記下方円柱形部分と、前記上方円形フランジとが、１対の軸方向に延在するセグメントによって結合される、請求項１０に記載のクイックコネクタ。
【請求項１２】
前記保持部材が、前記下方円柱形部分と、前記上方円形フランジとの間に軸方向に配置される、請求項１０に記載のクイックコネクタ。
【請求項１３】
各保持セグメントが、前記上方円形フランジの内径に係合するために、外側に向く停止面を画定する、請求項１０に記載のクイックコネクタ。
【請求項１４】
前記外側に向く停止面が、前記クイックコネクタの長手方向軸に対してある角度で配置される、請求項１３に記載のクイックコネクタ。
【請求項１５】
前記角度が、０°より大きく、４５°未満である、請求項１４に記載のクイックコネクタ。
【請求項１６】
前記角度が、約２５°である、請求項１４に記載のクイックコネクタ。
【請求項１７】
前記筐体から前記チューブを意図的に解放するために、前記保持部材が、前記第１の位置から前記第２の位置まで手動で移動可能である、請求項８に記載のクイックコネクタ。
【請求項１８】
前記保持部材が、前記筐体の周りに周方向に延在する不完全円を画定するバンド部分を含む、請求項８に記載のクイックコネクタ。
【請求項１９】
径方向のフランジを含むチューブに着脱自在に係合するためのクイックコネクタであって、
前記チューブを着脱自在に受けるための筐体と、
前記チューブを前記筐体に対して固定するために前記筐体によって担持される保持部材と、
前記チューブを前記筐体に対して封止するために前記筐体内に配置される封止部材であって、前記封止部材が、上方部分と、下方部分とを含むように一体に形成され、前記上方部分および前記下方部分の両方が、前記筐体に隣接する外側周面と、前記チューブに対して押し付ける内側周面とを含む、封止部材と
を備える、クイックコネクタ。
【請求項２０】
前記封止部材の前記上方セグメントおよび前記下方セグメントが、２等分面に対して互いの鏡像である、請求項１９に記載のクイックコネクタ。
【発明の詳細な説明】
【技術分野】
【０００１】
本教示は、一般に、管状部材間で迅速な結合、および流体連通を確立するためのクイックコネクタに関する。より詳細には、本教示は、保持部材の径方向の膨張を制限し、それによって早期の吹き飛びを防止するための遮断部材を含むクイックコネクタに関する。本教示は、より詳細には、クイックコネクタのための封止部材に更に関する。
【背景技術】
【０００２】
様々なクイックコネクタが、知られている。そのようなクイックコネクタの１つが、欧州特許出願公開第１８２１０２２号明細書の中に示され、説明されている。このクイックコネクタは、一般に、筐体および保持器を含む。保持器のフィンガが、チューブを正常に保持するためのチューブのフランジと協働する。保持器は、意図的にチューブを解放するために筐体に対して回転され得る。欧州特許出願公開第１８２１０２２号明細書は、本明細書で完全に説明されるものとして参照によって組み込まれる。
【０００３】
クイックコネクタが、通常の吹き飛び状態または引き出し状態中に、意図される結合を維持することが重要である。
【０００４】
欧州特許出願公開第１８２１０２２号明細書のクイックコネクタを含む既知のクイックコネクタが、それらの意図される目的のために一般に満足できるものと証明されてきたが、関連技術には依然として改良に対する連続的な要求が存在する。
【先行技術文献】
【特許文献】
【０００５】
【特許文献１】欧州特許出願公開第１８２１０２２号明細書
【発明の概要】
【０００６】
特定の一態様により、本教示は、径方向のフランジを含むチューブに着脱自在に係合するためのクイックコネクタを提供する。クイックコネクタが、筐体と、保持部材と遮断部材とを備える。筐体は、略管状筐体である。保持部材が、筐体によって担持され、第１の位置から第２の位置まで移動可能である。第１の位置では、保持部材が、筐体に対して第１の位置にチューブを固定するように作動する。遮断部材が、筐体によって担持され、第１の位置から第２の位置まで保持部材が移動することを制限するように作動する。
【０００７】
別の特定の態様により、本教示は、径方向のフランジを含むチューブに着脱自在に係合するためのクイックコネクタを提供する。クイックコネクタが、略管状筐体と、保持部材と、遮断部材とを備える。略管状筐体が、チューブを受けるための開放端部を含む。保持部材が、筐体によって担持され、第１の位置から第２の位置まで弾性的に膨張可能である。保持部材が、筐体の開放端部を部分的に越えて内側に延在する少なくとも１対の保持セグメントを含む。保持部材が第１の位置にあり、共通円から第２の位置に径方向に変位可能である場合、各保持セグメントが、径方向のフランジの最大直径よりも小さい直径を含む共通円上に正常に最内縁部を含む。保持部材が、筐体に対して第１の位置にチューブを固定するように作動する。保持部材が第１の位置から第２の位置まで移動することを制限するための遮断部材が、筐体によって担持される。
【０００８】
さらに別の特定の態様により、本教示は、筐体と、保持部材と、封止部材とを含むクイックコネクタを提供する。筐体は、着脱自在にチューブを受ける。保持部材が、筐体によって担持され、筐体に対してチューブを固定するように作動する。封止部材が、筐体内部に配置され、筐体に対してチューブを封止するように作動する。封止部材が、上方部分および下方部分を含むように一体に形成される。上方部分および下方部分の両方が、筐体に隣接する外側周面と、チューブに対して押し付ける内側周面とを含む。
【０００９】
適用可能性の追加の領域は、本明細書に提供される説明から明らかになるであろう。この要約の中の説明および特定の例が、説明の目的だけのために意図され、本開示の範囲を限定するように意図されない。
【００１０】
本明細書に記載される図面は、すべての可能な実施のためではなく、選択された実施形態の例示的目的のためだけのものであり、本開示の範囲を限定するように意図されるのではない。
【図面の簡単な説明】
【００１１】
【図１】本教示によるクイックコネクタの斜視図である。
【図２】図１のクイックコネクタの遠位端の斜視図であり、図示の目的のために、クイックコネクタの遮断部材がクイックコネクタから取り外されている図である。
【図３】図１のクイックコネクタの横断面図であり、クイックコネクタがチューブを正常に保持していることを示す図である。
【図４】図３に類似する横断面図であり、チューブの挿入中のクイックコネクタを示す図である。
【図５】図３に類似する別の横断面図であり、クイックコネクタが、吹き飛び状態中にチューブを保持していることを示す図である。
【図６】図１のクイックコネクタの筐体の斜視図である。
【図７】図１のクイックコネクタの保持部材の斜視図である。
【図８】図１のクイックコネクタの遮断部材の斜視図である。
【図９】本教示による別のクイックコネクタの横断面図である。
【図１０】図１１のクイックコネクタの封止部材の斜視図である。
【発明を実施するための形態】
【００１２】
次いで、例示的実施形態が、添付の図面を参照してより完全に説明されることになる。
【００１３】
図面の中の図１から図８を参照すると、本教示によって構成されたクイックコネクタが、図示され、参照符号１０によって一般に識別されている。クイックコネクタ１０は、筐体１２、保持部材１４および遮断部材１６を一般に含むことができる。様々な図面の中で、クイックコネクタ１０が、チューブ２０を含む流体移送アセンブリ１８の中に組み込まれて示される。
【００１４】
図示される例示的実施形態では、クイックコネクタ１０が、ガスまたは液体の形態の流体を移送するために使用され得る。例えば、クイックコネクタ１０は、蒸気、エチレングリコールおよび他の流体を移送するために様々なチューブおよびホースを結合する自動車両応用の中で使用され得る。しかし、本教示の範囲は、そのように限定されず、他の車両応用または非車両応用のために容易に適合され得るということが理解されるであろう。
【００１５】
例えば、図３の横断面図では、第１の端部２２でチューブ２０に作動的に結合されるクイックコネクタ１０が示される。クイックコネクタ１０の反対側の端部２４が、従来通りにホースに取り付けられ得るということが理解されるであろう。本教示に関する限り、図面の中に示されるチューブ２０が、例示的であり、かつ従来の構成を含むということが理解されるであろう。簡潔には、チューブ２０が、径方向に延在するフランジ２０Ａを含むように示される。本教示のクイックコネクタ１０は、本教示の範囲内にある様々な他のチューブのために容易に適合され得る。
【００１６】
保持部材１４が、筐体１２によって担持され、筐体１２にチューブ２０を保持するために正常に機能する。理解されるように、保持部材１４は、第１の位置から第２の位置まで移動され得る。例えば第１の位置が、図３に示される。例えば第２の位置が、図４に示される。第１の位置では、保持部材１４が、チューブ２０を筐体１２に正常に保持する。第２の位置では、保持部材１４は、チューブ２０が筐体１２の中に挿入され、またはチューブ２０が筐体１２から取り外されることを可能にする。遮断部材１６が筐体１２によって担持され、第１の位置から第２の位置まで保持部材１４が移動することを制限するように作動する。遮断部材１６が、クイックコネクタ１０のユーザによって容易に取り外しできないように、着脱不可能に筐体１２によって保持される。
【００１７】
保持部材１４が、筐体１２の開放近位端部１２Ａの隣接する筐体１２を周方向に取り囲むことができる。保持部材１４が、バンド部分１４Ａを含むことができる。図示される実施形態では、バンド部分１４Ａが筐体１２の周りに概ね延在する。この点に関して、バンド部分１４Ａの第１の端部２６の第１の端部２６および第２の端部２８が、間隙３０によって離隔配置され得る。そうであるので、保持部材１４が、筐体１２の周りに大体延在する不完全な円を画定すると理解されたい。第１の端部２６は、チューブ２０を筐体１２から解放することについて以下に更に考察される様式で、ユーザによる係合を促進するための複数のリブを含むように形成され得る。
【００１８】
保持部材１４が、１つまたは複数の保持セグメント３２を更に含むことができる。保持部材１４が、少なくとも１対の保持セグメント３２を含むことができる。図示されるように、保持部材１４が、第１の保持セグメントおよび第２の保持セグメント３２を含む。しかし、本教示は、保持部材１４が、単一の保持セグメント３２または３つ以上の保持セグメント３２を含むように容易に適合され得る。
【００１９】
保持セグメント３２が、上方に延在するセグメント３４を通してバンド部分１４Ａに結合されることができ、筐体１２の開放端部１２Ａを部分的に越えて内側に延在することができる。図２の斜視図の中で最もよく示されるように、保持セグメント３４の自由端部３６が円弧状に成形されることができ、それぞれが、内側かつ遠位に先細になる導入面３８を画定する。保持部材１４が第１の位置にある場合、保持セグメント３４の最内縁部が、直径Ｄ（図３参照）を含む共通円上に正常に位置することができる。最内縁部は、共通円から第２の位置まで径方向へ変位可能である。共通円３６の直径Ｄは、チューブ２０のフランジ２０Ａの最大直径よりも小さくすることができる。
【００２０】
保持部材１４が、任意の適切な材料から一体的に構成され得る。一つの特定の応用では、保持部材１４が、熱可塑性材料から構成され得る。例えば、保持部材１４が、ポリフタルアミド（ＰＰＡ）などのポリアミドから構成され得る。更に好適には、筐体は、ガラス補強ポリフタルアミド樹脂から構成され得る。１つの適切な材料は、Ａｍｏｄｅｌ（登録商標）のＡ−１９３３ＨＳＬとしてＳｏｌｖａｙから市販されている。
【００２１】
筐体１２は、略管状筐体であることができる。図示される実施形態では、筐体１２が、開放遠位端部１２Ａ（例えば図２および図６参照）から延在する第１の上方に延在するセグメント４０および第２の上方に延在するセグメント４２を含むことができる。図示されるように、上方に延在するセグメント４０および４２は、筐体１２の上に直径方向に配置され得る。上方に延在するセグメント４０および４２の両方が、約６０°に亘って周方向に延在することができる。そうであるので、第１の間隙４４および第２の間隙４５が、上方に延在するセグメント４０と４２との間に配置される。第１の間隙４４および第２の間隙４５の両方が、約１２０°に亘って周方向に延在することができる。
【００２２】
筐体１２が、任意の適切な材料から一体的に構成され得る。一つの特定の応用では、筐体１２が、熱可塑性材料から構成され得る。例えば、筐体１２が、ポリフタルアミド（ＰＰＡ）などのポリアミドから構成され得る。更に好適には、筐体は、ガラス補強ポリフタルアミド樹脂から構成され得る。１つの適切な材料は、Ａｍｏｄｅｌ（登録商標）のＡ−１９３３ＨＳＬとしてＳｏｌｖａｙから市販されている。
【００２３】
遮断部材１６は、略トップハット形状である。この点に関して、遮断部材１６は、一般に、下方円柱形部分４６および上方円形フランジ４８を含むことができる。下方円柱形部分４６と、上方円形フランジ４８とが、１対の軸方向に延在するセグメント５０によって結合され得る。軸方向に延在するセグメント５０が、遮断部材１６上に直径方向に対向し、両方が約４５°に亘って延在する。
【００２４】
下方円柱形部分４６が、１対の外側に延在するタブ５２を画定することができる。外側に延在するタブ５２は、筐体１２の穴に係合して、遮断部材１６を筐体１２に軸方向に固定する。遮断部材１６の上方円形フランジ４８、ならびに筐体１２の上方に延在するセグメント４０および４２が、遮断部材１６と筐体１２との間の相対的回転を防止するための協働する特徴と共に形成される。図示される実施形態では、遮断部材１６の軸方向に延在するセグメント５２が、筐体１２の上方に延在するセグメント４０および４２と周方向に位置合わせする。
【００２５】
遮断部材１６が、任意の適切な材料から一体的に構成され得る。一つの特定の応用では、遮断部材１６が、熱可塑性材料から構成され得る。例えば、遮断部材１６が、ポリフタルアミド（ＰＰＡ）などのポリアミドから構成され得る。更に好適には、筐体は、ガラス補強ポリフタルアミド樹脂から構成され得る。１つの適切な材料は、Ａｍｏｄｅｌ（登録商標）のＡＴ−６１１５ＨＳとしてＳｏｌｖａｙから市販されている。
【００２６】
クイックコネクタ１０は、筐体１２内部に配置される封止パック６２を更に含む。封止パック６２は、チューブ２０と筐体１２との間に封止を提供する。図示されるように、封止パック６２は、１対のＯ−リング６４、およびＯ−リング６４の間のスペーサ６６の形態の別個の３つの要素を含むことができる。
【００２７】
第１の一般的組み立てステップでは、本教示のクイックコネクタ１０は、封止パック６２を筐体１２の中に配置することによって組み立てられ得る。
【００２８】
第２の一般的組み立てステップでは、遮断部材１６の外側に延在するタブ５４が、筐体１２の中の穴５６と軸方向に位置合わせされ、下方円柱形部分４６を筐体１２の開放端部１２Ａの中に軸方向に前進させる。最初の挿入中に、タブ５２が筐体１２の中の穴５６に合致し、係合するまで、タブ５４は内側に弾性的に偏向して、遮断部材１６を筐体１２に軸方向に固定する。遮断部材１６の上方円形フランジ５０、ならびに筐体１２の上方に延在するセグメント４０および４２の協働する特徴が、遮断部材１６と筐体１２との間の相対的回転を防止するように係合する。
【００２９】
第３の、および最終的な一般的組み立てステップでは、保持部材１４が、弾性的に膨張されて、その結果、保持部材１４が、筐体１２の周りに周方向に配置され得る。保持部材１４が、筐体１２の上に配置される場合、保持セグメント２８が間隙４４および４５内部に周方向に配置される。保持セグメント２８は、筐体１２の開放端部１２Ａの内側上方へ部分的に延在する。
【００３０】
チューブ２０の端部を筐体１２の開放端部１２Ａの中に軸方向に前進させることによって、チューブ２０がクイックコネクタ１０に迅速に、容易に着脱自在に固定され得る。チューブ２０のフランジ２０Ａが遮断部材１６に軸方向に到達する場合、フランジ２０Ａが保持セグメント３２の導入面３８に接触する。チューブ２０を軸方向に更に前進させることによって、保持部材１４が第１の位置から第２の位置まで径方向に膨張する。本教示に関する限り、「第１の位置」という用語は、保持セグメント３４の最内縁部が、フランジ２０Ａの外径よりも小さい直径を含む共通円上に位置する任意の位置という意味である。「第２の位置」という用語は、保持セグメント３４の最内縁部が、フランジ２０Ａの中心直径に等しい、または中心直径よりも大きい直径を含む共通円上に位置する任意の位置という意味である。別法として、「第１の位置」は、フランジ２０Ａが軸方向に保持セグメント３４を通過することを許される任意の位置を意味し、「第２の位置」は、フランジ２０Ａが軸方向に保持セグメントを通過することを防止される任意の位置を意味する。
【００３１】
チューブ２０のフランジ２０Ａが保持部材１４の保持セグメント３４を軸方向に通過する後、保持部材１４は第１の位置まで弾性的に戻る。チューブ２０を筐体１２から取り外すことは、保持セグメント３４がフランジ２０Ａと係合していることによって正常に防止される。吹き飛び状態または引き出し状態中に、遮断部材１６は、第１の位置から第２の位置まで保持部材１４が移動することを制限するように作動することができる。この点に関して、そうでない場合、保持部材１４が、チューブ２０を筐体１２から取り出すことを可能にするために十分に弾性的に変形することができる。保持セグメント３４の底部上に導入面が全くないので、保持セグメントが上方、かつ外側の両方へ移動されるはずである。遮断部材１６は、保持セグメント３４の上方および外側の少なくとも１つの移動を防止することができる。
【００３２】
一つの応用では、遮断部材１６は、保持セグメント３４の径方向外側への移動を少なくとも防止することができる。この点に関して、保持セグメント３４は、遮断部材１６の上方円形フランジ５０の内径に係合する、径方向外側に向く停止面６８を画定することができる。そのような係合が、図５に示されている。吹き飛び状態中に、フランジ２０Ａが保持セグメント３２の下方側に対して押し付ける場合、面６８がフランジ５０の内径に係合し、それによって保持部材１４が、第１の位置から第２の位置まで径方向に膨張することを防止するように、保持セグメントが偏向している。停止面６８は、クイックコネクタ１０の長手方向軸Ａに対してある角度で正常に配置され得る。例えば、角度は０°よりも大きく、約４５°未満とすることができる。一つの応用では、角度は約２５°である。
【００３３】
チューブ２０を取り外すことが所望される場合、保持部材１４が、第１の位置から第２の位置まで手動で移動され得る。第１の自由端部２６がユーザによって係合され、第２の端部２８から離れて周方向へ強制され得る。この移動に応答して、セグメント３４および３６が間隙４４および４５の内部で周方向へ移動し、保持セグメント３４の最内縁部が互いから十分に分離されて、保持部材１４を第１の位置から第２の位置まで移動させる。
【００３４】
図９および図１０に目を向けると、本教示による別のクイックコネクタが、図示され、参照符号１００によって全体に識別されている。クイックコネクタ１０とクイックコネクタ１００との間で共通の要素を識別するために、図面全体を通して、同様の参照符号が使用されている。クイックコネクタ１００がクイックコネクタ１０と異なる点は、クイックコネクタ１０の封止パック６２（別個のＯ−リング６４およびスペーサ６６を含む）が、一体的に形成された封止部材１０２と交換される点だけであるということが理解されるであろう。
【００３５】
封止部材１０２が、第１の部分１０４および第２の部分１０６を一般に含むように図示される。図示される実施形態では、第１の部分１０４および第２の部分１０６は、２等分面Ｐについて互いに鏡像である。図９の横断面図では、第１の部分１０４が上方部分であり、第２の部分１０６が下方部分である。しかし、封止部材１０２の対称性を考慮すると、第１の部分１０４が下方部分であり、第２の部分１０６が上方部分であるように、封止部材１０２は筐体１２の内部に挿入され得る。上方部分１０４および下方部分１０６の両方が、筐体に隣接する外側周面と、チューブに対して押し付ける内側周面とを含む。
【００３６】
代替の実施形態では、封止部材１０２が、第１の部分１０４および第２の部分１０６に類似する３つ以上の相手側を含むように構成され得る。本教示のこの態様に重要である点は、封止部材１０２の対称性によって、封止部材１０２が２つの配向のいずれの配向にも挿入され得るという点である。このように、封止部材１０２が筐体１２の中に不正確に挿入される可能性がない。
【００３７】
封止部材１０２が、適切な材料から一体的に構成され得る。一つの特定の応用では、封止部材１０２は、ＥＰＤＭ（エチレンプロピレンジエンモノマー）から構成され得る。しかし、他の材料が本教示の範囲内で使用され得ることが理解されるであろう。
【００３８】
実施形態の上記の説明は、例示および説明の目的のために提供された。その説明は、網羅的であり、または本開示を限定するように意図されるのではない。特定の実施形態の個々の要素または特徴は、一般に特定の実施形態に限定されるのではなく、しかし、詳細に示されず、または説明されないとしても、適切な場合は、相互交換可能であり、選択された実施形態の中で使用可能である。同じことが、多くの方法において更に変化され得る。そのような変形形態は、本開示から逸脱するとしてみなされるのではなく、そのような修正形態のすべてが、本開示の範囲内に含まれると意図される。
【００３９】
本開示が完全なものとなり、当業者に範囲を完全に伝達するように、例示的実施形態が提供される。特定の構成要素、装置および方法の例など、複数の特定の詳細が述べられて、本開示の実施形態の完全な理解を提供する。特定の詳細が採用される必要はなく、例示的実施形態が多くの異なる形態で実施されることが可能であり、本開示の範囲内を限定するように解釈すべきではないということが当業者にとって明らかであろう。いくつかの例示的実施形態において、よく知られているプロセス、よく知られている装置の構造、およびよく知られている技術は、詳細に説明されることはない。
【００４０】
本明細書で使用される用語は、特定の例示的実施形態だけを説明する目的のためであり、限定するようには意図されない。本明細書で使用される場合、単数形「１つの（ａ）」、「１つの（ａｎ）」および「その（ｔｈｅ）」は、文脈が明確にそうではないと指示しない限り、複数形もまた含むように意図される。「備える（ｃｏｍｐｒｉｓｅｓ）」、「備えている（ｃｏｍｐｒｉｓｉｎｇ）」、「含む（ｉｎｃｌｕｄｉｎｇ）」および「有する（ｈａｖｉｎｇ）」という用語は、包含的であり、したがって、述べられた特徴、整数、ステップ、作動、要素および／または構成要素の存在を特定するが、しかし、１つまたは複数の他の特徴、整数、ステップ、作動、要素、構成要素および／またはそのグループの存在または追加を排除するのではない。本明細書で説明される方法ステップ、プロセス、および作動は、実施の順番として特に識別されないならば、考察され、または例示される特定の順番でそれらを実施する必要は必ずしもないと解釈すべきである。追加的または代替的ステップが採用され得ることもまた理解すべきである。
【００４１】
要素または層が、別の要素または層「の上に」、「に係合される」、「に結合される」または「に連結される」として言及される場合、その要素または層が、直接他の要素または層の上に、直接他の要素または層に係合され、結合され、または連結され得る、あるいは介在する要素または層が存在する可能性がある。対照的に、要素が、別の要素または層の「直接上に」、別の要素または層に「直接係合される」、「直接結合される」または「直接連結される」として言及される場合、介在する要素または層が存在しない可能性がある。要素間の関係を説明するために使用される他の単語は、同様の様式で解釈すべきである（例えば、「間に」対「直接間に」、「隣接する」対「直接隣接する」など）。本明細書で使用される場合、「および／または」という用語は、関連して列挙される項目１つまたは複数のうちの任意のおよびすべての組み合わせを含む。
【００４２】
第１の、第２の、第３のなどの用語は、様々な要素、構成要素、領域、層および／または区分を説明するために本明細書で使用され得るが、これらの要素、構成要素、領域、層および／または区分は、これらの用語によって限定すべきではない。これらの用語は、１つの要素、構成要素、領域、層または区分を別の領域、層または区分から区別するのみのために使用され得る。「第１の」、「第２の」などの用語、および他の数字の用語は、本明細書で使用される場合、文脈で明確に指示されない限り、連続または順番を意味するのではない。したがって、下記に考察される第１の要素、構成要素、領域、層または区分は、例示的実施形態の教示から逸脱せずに、第２の要素、構成要素、領域、層または区分と呼ばれることが可能である。
【００４３】
「内側」、「外側」、「下に」、「下方」、「上に」、「上方」などの空間の相対的な用語は、図面の中で例示される、１つの要素または特徴と他の（１または複数の）要素または（１または複数の）特徴との関係を説明するための説明を容易にする目的で、本明細書で使用され得る。空間の相対的な用語は、図面の中に示される配向に加えて、使用または作動の際の装置の異なる配向を包含するように意図され得る。例えば、他の要素または特徴の「下方」または「下の」として説明される要素が、図面の中の装置が反転される場合、そのとき、別の要素または特徴の「上方」に配向されるであろう。したがって、例の用語「下方」は、上方および下方の両方の配向を包含することができる。装置は、そうではなく配向されることが可能であり（９０°回転される、または他の配向）、そのように解釈される、本明細書で使用される空間的な相対的記述語であることが可能である。
【符号の説明】
【００４４】
１０  クイックコネクタ
１２  筐体
１２Ａ  開放端部
１４  保持部材
１４Ａ  バンド部分
１６  遮断部材
１８  流体移送アセンブリ
２０  チューブ
２０Ａ  フランジ
２２  第１の端部
２４  反対側の端部
２６  第１の端部、第１の自由端部
２８  第２の端部、保持セグメント
３０  間隙
３２  保持セグメント
３４  保持セグメント
３６  自由端部、共通円
３８  導入面
４０  セグメント
４２  セグメント
４４  第１の間隙
４５  第２の間隙
４６  下方円柱形部分
４８  上方円形フランジ
５０  セグメント、円形フランジ
５２  タブ
５４  タブ
５６  穴
６２  封止パック
６４  Ｏ−リング
６６  スペーサ
６８  停止面
１００  クイックコネクタ
１０２  封止部材
１０４  第１の部分、上方部分
１０６  第２の部分、下方部分
Ａ  長手方向軸
Ｄ  直径
Ｐ  ２等分面
【図１】
2018028382.tif 000003
【図２】
2018028382.tif 000004
【図３】
2018028382.tif 000005
【図４】
2018028382.tif 000006
【図５】
2018028382.tif 000007
【図６】
2018028382.tif 000008
【図７】
2018028382.tif 000009
【図８】
2018028382.tif 000010
【図９】
2018028382.tif 000011
【図１０】
2018028382.tif 000012
【手続補正書】
【提出日】平成29年3月7日(2017.3.7)
【手続補正１】
【補正対象書類名】明細書
【補正対象項目名】全文
【補正方法】変更
【補正の内容】
【発明の詳細な説明】
【技術分野】
【０００１】
本教示は、一般に、管状部材間で迅速な結合、および流体連通を確立するためのクイックコネクタに関する。より詳細には、本教示は、保持部材の径方向の膨張を制限し、それによって早期の吹き飛びを防止するための遮断部材を含むクイックコネクタに関する。本教示は、より詳細には、クイックコネクタのための封止部材に更に関する。
【背景技術】
【０００２】
様々なクイックコネクタが、知られている。そのようなクイックコネクタの１つが、欧州特許出願公開第１８２１０２２号明細書の中に示され、説明されている。このクイックコネクタは、一般に、筐体および保持器を含む。保持器のフィンガが、チューブを正常に保持するためのチューブのフランジと協働する。保持器は、意図的にチューブを解放するために筐体に対して回転され得る。欧州特許出願公開第１８２１０２２号明細書は、本明細書で完全に説明されるものとして参照によって組み込まれる。
【０００３】
クイックコネクタが、通常の吹き飛び状態または引き出し状態中に、意図される結合を維持することが重要である。
【０００４】
欧州特許出願公開第１８２１０２２号明細書のクイックコネクタを含む既知のクイックコネクタが、それらの意図される目的のために一般に満足できるものと証明されてきたが、関連技術には依然として改良に対する連続的な要求が存在する。
【先行技術文献】
【特許文献】
【０００５】
【特許文献１】欧州特許出願公開第１８２１０２２号明細書
【発明の概要】
【０００６】
特定の一態様により、本教示は、径方向のフランジを含むチューブに着脱自在に係合するためのクイックコネクタを提供する。クイックコネクタが、筐体と、保持部材と遮断部材とを備える。筐体は、略管状筐体である。保持部材が、筐体によって担持され、第１の位置から第２の位置まで移動可能である。第１の位置では、保持部材が、筐体に対して第１の位置にチューブを固定するように作動する。遮断部材が、筐体によって担持され、第１の位置から第２の位置まで保持部材が移動することを制限するように作動する。
【０００７】
別の特定の態様により、本教示は、径方向のフランジを含むチューブに着脱自在に係合するためのクイックコネクタを提供する。クイックコネクタが、略管状筐体と、保持部材と、遮断部材とを備える。略管状筐体が、チューブを受けるための開放端部を含む。保持部材が、筐体によって担持され、第１の位置から第２の位置まで弾性的に膨張可能である。保持部材が、筐体の開放端部を部分的に越えて内側に延在する少なくとも１対の保持セグメントを含む。保持部材が第１の位置にあり、共通円から第２の位置に径方向に変位可能である場合、各保持セグメントが、径方向のフランジの最大直径よりも小さい直径を含む共通円上に正常に最内縁部を含む。保持部材が、筐体に対して第１の位置にチューブを固定するように作動する。保持部材が第１の位置から第２の位置まで移動することを制限するための遮断部材が、筐体によって担持される。
【０００８】
さらに別の特定の態様により、本教示は、筐体と、保持部材と、封止部材とを含むクイックコネクタを提供する。筐体は、着脱自在にチューブを受ける。保持部材が、筐体によって担持され、筐体に対してチューブを固定するように作動する。封止部材が、筐体内部に配置され、筐体に対してチューブを封止するように作動する。封止部材が、上方部分および下方部分を含むように一体に形成される。上方部分および下方部分の両方が、筐体に隣接する外側周面と、チューブに対して押し付ける内側周面とを含む。
【０００９】
適用可能性の追加の領域は、本明細書に提供される説明から明らかになるであろう。この要約の中の説明および特定の例が、説明の目的だけのために意図され、本開示の範囲を限定するように意図されない。
【００１０】
本明細書に記載される図面は、すべての可能な実施のためではなく、選択された実施形態の例示的目的のためだけのものであり、本開示の範囲を限定するように意図されるのではない。
【図面の簡単な説明】
【００１１】
【図１】本教示によるクイックコネクタの斜視図である。
【図２】図１のクイックコネクタの遠位端の斜視図であり、図示の目的のために、クイックコネクタの遮断部材がクイックコネクタから取り外されている図である。
【図３】図１のクイックコネクタの横断面図であり、クイックコネクタがチューブを正常に保持していることを示す図である。
【図４】図３に類似する横断面図であり、チューブの挿入中のクイックコネクタを示す図である。
【図５】図３に類似する別の横断面図であり、クイックコネクタが、吹き飛び状態中にチューブを保持していることを示す図である。
【図６】図１のクイックコネクタの筐体の斜視図である。
【図７】図１のクイックコネクタの保持部材の斜視図である。
【図８】図１のクイックコネクタの遮断部材の斜視図である。
【図９】本教示による別のクイックコネクタの横断面図である。
【図１０】図９のクイックコネクタの封止部材の斜視図である。
【発明を実施するための形態】
【００１２】
次いで、例示的実施形態が、添付の図面を参照してより完全に説明されることになる。
【００１３】
図面の中の図１から図８を参照すると、本教示によって構成されたクイックコネクタが、図示され、参照符号１０によって一般に識別されている。クイックコネクタ１０は、筐体１２、保持部材１４および遮断部材１６を一般に含むことができる。様々な図面の中で、クイックコネクタ１０が、チューブ２０を含む流体移送アセンブリ１８の中に組み込まれて示される。
【００１４】
図示される例示的実施形態では、クイックコネクタ１０が、ガスまたは液体の形態の流体を移送するために使用され得る。例えば、クイックコネクタ１０は、蒸気、エチレングリコールおよび他の流体を移送するために様々なチューブおよびホースを結合する自動車両応用の中で使用され得る。しかし、本教示の範囲は、そのように限定されず、他の車両応用または非車両応用のために容易に適合され得るということが理解されるであろう。
【００１５】
例えば、図３の横断面図では、第１の端部２２でチューブ２０に作動的に結合されるクイックコネクタ１０が示される。クイックコネクタ１０の反対側の端部２４が、従来通りにホースに取り付けられ得るということが理解されるであろう。本教示に関する限り、図面の中に示されるチューブ２０が、例示的であり、かつ従来の構成を含むということが理解されるであろう。簡潔には、チューブ２０が、径方向に延在するフランジ２０Ａを含むように示される。本教示のクイックコネクタ１０は、本教示の範囲内にある様々な他のチューブのために容易に適合され得る。
【００１６】
保持部材１４が、筐体１２によって担持され、筐体１２にチューブ２０を保持するために正常に機能する。理解されるように、保持部材１４は、第１の位置から第２の位置まで移動され得る。例えば第１の位置が、図３に示される。例えば第２の位置が、図４に示される。第１の位置では、保持部材１４が、チューブ２０を筐体１２に正常に保持する。第２の位置では、保持部材１４は、チューブ２０が筐体１２の中に挿入され、またはチューブ２０が筐体１２から取り外されることを可能にする。遮断部材１６が筐体１２によって担持され、第１の位置から第２の位置まで保持部材１４が移動することを制限するように作動する。遮断部材１６が、クイックコネクタ１０のユーザによって容易に取り外しできないように、着脱不可能に筐体１２によって保持される。
【００１７】
保持部材１４が、筐体１２の開放近位端部１２Ａの隣接する筐体１２を周方向に取り囲むことができる。保持部材１４が、バンド部分１４Ａを含むことができる。図示される実施形態では、バンド部分１４Ａが筐体１２の周りに概ね延在する。この点に関して、バンド部分１４Ａの第１の端部２６の第１の端部２６および第２の端部２８が、間隙３０によって離隔配置され得る。そうであるので、保持部材１４が、筐体１２の周りに大体延在する不完全な円を画定すると理解されたい。第１の端部２６は、チューブ２０を筐体１２から解放することについて以下に更に考察される様式で、ユーザによる係合を促進するための複数のリブを含むように形成され得る。
【００１８】
保持部材１４が、１つまたは複数の保持セグメント３２を更に含むことができる。保持部材１４が、少なくとも１対の保持セグメント３２を含むことができる。図示されるように、保持部材１４が、第１の保持セグメントおよび第２の保持セグメント３２を含む。しかし、本教示は、保持部材１４が、単一の保持セグメント３２または３つ以上の保持セグメント３２を含むように容易に適合され得る。
【００１９】
保持セグメント３２が、上方に延在するセグメント３４を通してバンド部分１４Ａに結合されることができ、筐体１２の開放端部１２Ａを部分的に越えて内側に延在することができる。図２の斜視図の中で最もよく示されるように、保持セグメント３２の自由端部３６が円弧状に成形されることができ、それぞれが、内側かつ遠位に先細になる導入面３８を画定する。保持部材１４が第１の位置にある場合、保持セグメント３２の最内縁部が、直径Ｄ（図３参照）を含む共通円上に正常に位置することができる。最内縁部は、共通円から第２の位置まで径方向へ変位可能である。共通円３６の直径Ｄは、チューブ２０のフランジ２０Ａの最大直径よりも小さくすることができる。
【００２０】
保持部材１４が、任意の適切な材料から一体的に構成され得る。一つの特定の応用では、保持部材１４が、熱可塑性材料から構成され得る。例えば、保持部材１４が、ポリフタルアミド（ＰＰＡ）などのポリアミドから構成され得る。更に好適には、保持部材１４は、ガラス補強ポリフタルアミド樹脂から構成され得る。１つの適切な材料は、Ａｍｏｄｅｌ（登録商標）のＡ−１９３３ＨＳＬとしてＳｏｌｖａｙから市販されている。
【００２１】
筐体１２は、略管状筐体であることができる。図示される実施形態では、筐体１２が、開放遠位端部１２Ａ（例えば図２および図６参照）から延在する第１の上方に延在するセグメント４０および第２の上方に延在するセグメント４２を含むことができる。図示されるように、上方に延在するセグメント４０および４２は、筐体１２の上に直径方向に配置され得る。上方に延在するセグメント４０および４２の両方が、約６０°に亘って周方向に延在することができる。そうであるので、第１の間隙４４および第２の間隙４５が、上方に延在するセグメント４０と４２との間に配置される。第１の間隙４４および第２の間隙４５の両方が、約１２０°に亘って周方向に延在することができる。
【００２２】
筐体１２が、任意の適切な材料から一体的に構成され得る。一つの特定の応用では、筐体１２が、熱可塑性材料から構成され得る。例えば、筐体１２が、ポリフタルアミド（ＰＰＡ）などのポリアミドから構成され得る。更に好適には、筐体は、ガラス補強ポリフタルアミド樹脂から構成され得る。１つの適切な材料は、Ａｍｏｄｅｌ（登録商標）のＡ−１９３３ＨＳＬとしてＳｏｌｖａｙから市販されている。
【００２３】
遮断部材１６は、略トップハット形状である。この点に関して、遮断部材１６は、一般に、下方円柱形部分４６および上方円形フランジ４８を含むことができる。下方円柱形部分４６と、上方円形フランジ４８とが、１対の軸方向に延在するセグメント５０によって結合され得る。軸方向に延在するセグメント５０が、遮断部材１６上に直径方向に対向し、両方が約４５°に亘って延在する。
【００２４】
下方円柱形部分４６が、１対の外側に延在するタブ５２を画定することができる。外側に延在するタブ５２は、筐体１２の穴に係合して、遮断部材１６を筐体１２に軸方向に固定する。遮断部材１６の上方円形フランジ４８、ならびに筐体１２の上方に延在するセグメント４０および４２が、遮断部材１６と筐体１２との間の相対的回転を防止するための協働する特徴と共に形成される。図示される実施形態では、遮断部材１６の軸方向に延在するセグメント５０が、筐体１２の上方に延在するセグメント４０および４２と周方向に位置合わせする。
【００２５】
遮断部材１６が、任意の適切な材料から一体的に構成され得る。一つの特定の応用では、遮断部材１６が、熱可塑性材料から構成され得る。例えば、遮断部材１６が、ポリフタルアミド（ＰＰＡ）などのポリアミドから構成され得る。更に好適には、遮断部材１６は、ガラス補強ポリフタルアミド樹脂から構成され得る。１つの適切な材料は、Ａｍｏｄｅｌ（登録商標）のＡＴ−６１１５ＨＳとしてＳｏｌｖａｙから市販されている。
【００２６】
クイックコネクタ１０は、筐体１２内部に配置される封止パック６２を更に含む。封止パック６２は、チューブ２０と筐体１２との間に封止を提供する。図示されるように、封止パック６２は、１対のＯ−リング６４、およびＯ−リング６４の間のスペーサ６６の形態の別個の３つの要素を含むことができる。
【００２７】
第１の一般的組み立てステップでは、本教示のクイックコネクタ１０は、封止パック６２を筐体１２の中に配置することによって組み立てられ得る。
【００２８】
第２の一般的組み立てステップでは、遮断部材１６の外側に延在するタブ５２が、筐体１２の中の穴５６と軸方向に位置合わせされ、下方円柱形部分４６を筐体１２の開放端部１２Ａの中に軸方向に前進させる。最初の挿入中に、タブ５２が筐体１２の中の穴５６に合致し、係合するまで、タブ５２は内側に弾性的に偏向して、遮断部材１６を筐体１２に軸方向に固定する。遮断部材１６の上方円形フランジ４８、ならびに筐体１２の上方に延在するセグメント４０および４２の協働する特徴が、遮断部材１６と筐体１２との間の相対的回転を防止するように係合する。
【００２９】
第３の、および最終的な一般的組み立てステップでは、保持部材１４が、弾性的に膨張されて、その結果、保持部材１４が、筐体１２の周りに周方向に配置され得る。保持部材１４が、筐体１２の上に配置される場合、保持セグメント３２が間隙４４および４５内部に周方向に配置される。保持セグメント３２は、筐体１２の開放端部１２Ａの内側上方へ部分的に延在する。
【００３０】
チューブ２０の端部を筐体１２の開放端部１２Ａの中に軸方向に前進させることによって、チューブ２０がクイックコネクタ１０に迅速に、容易に着脱自在に固定され得る。チューブ２０のフランジ２０Ａが遮断部材１６に軸方向に到達する場合、フランジ２０Ａが保持セグメント３２の導入面３８に接触する。チューブ２０を軸方向に更に前進させることによって、保持部材１４が第１の位置から第２の位置まで径方向に膨張する。本教示に関する限り、「第１の位置」という用語は、保持セグメント３２の最内縁部が、フランジ２０Ａの外径よりも小さい直径を含む共通円上に位置する任意の位置という意味である。「第２の位置」という用語は、保持セグメント３２の最内縁部が、フランジ２０Ａの中心直径に等しい、または中心直径よりも大きい直径を含む共通円上に位置する任意の位置という意味である。別法として、「第１の位置」は、フランジ２０Ａが軸方向に保持セグメント３２を通過することを許される任意の位置を意味し、「第２の位置」は、フランジ２０Ａが軸方向に保持セグメントを通過することを防止される任意の位置を意味する。
【００３１】
チューブ２０のフランジ２０Ａが保持部材１４の保持セグメント３２を軸方向に通過する後、保持部材１４は第１の位置まで弾性的に戻る。チューブ２０を筐体１２から取り外すことは、保持セグメント３２がフランジ２０Ａと係合していることによって正常に防止される。吹き飛び状態または引き出し状態中に、遮断部材１６は、第１の位置から第２の位置まで保持部材１４が移動することを制限するように作動することができる。この点に関して、そうでない場合、保持部材１４が、チューブ２０を筐体１２から取り出すことを可能にするために十分に弾性的に変形することができる。保持セグメント３２の底部上に導入面が全くないので、保持セグメントが上方、かつ外側の両方へ移動されるはずである。遮断部材１６は、保持セグメント３２の上方および外側の少なくとも１つの移動を防止することができる。
【００３２】
一つの応用では、遮断部材１６は、保持セグメント３２の径方向外側への移動を少なくとも防止することができる。この点に関して、保持セグメント３２は、遮断部材１６の上方円形フランジ４８の内径に係合する、径方向外側に向く停止面６８を画定することができる。そのような係合が、図５に示されている。吹き飛び状態中に、フランジ２０Ａが保持セグメント３２の下方側に対して押し付ける場合、面６８がフランジ４８の内径に係合し、それによって保持部材１４が、第１の位置から第２の位置まで径方向に膨張することを防止するように、保持セグメントが偏向している。停止面６８は、クイックコネクタ１０の長手方向軸Ａに対してある角度で正常に配置され得る。例えば、角度は０°よりも大きく、約４５°未満とすることができる。一つの応用では、角度は約２５°である。
【００３３】
チューブ２０を取り外すことが所望される場合、保持部材１４が、第１の位置から第２の位置まで手動で移動され得る。第１の自由端部２６がユーザによって係合され、第２の端部２８から離れて周方向へ強制され得る。この移動に応答して、セグメント３４および３６が間隙４４および４５の内部で周方向へ移動し、保持セグメント３２の最内縁部が互いから十分に分離されて、保持部材１４を第１の位置から第２の位置まで移動させる。
【００３４】
図９および図１０に目を向けると、本教示による別のクイックコネクタが、図示され、参照符号１００によって全体に識別されている。クイックコネクタ１０とクイックコネクタ１００との間で共通の要素を識別するために、図面全体を通して、同様の参照符号が使用されている。クイックコネクタ１００がクイックコネクタ１０と異なる点は、クイックコネクタ１０の封止パック６２（別個のＯ−リング６４およびスペーサ６６を含む）が、一体的に形成された封止部材１０２と交換される点だけであるということが理解されるであろう。
【００３５】
封止部材１０２が、第１の部分１０４および第２の部分１０６を一般に含むように図示される。図示される実施形態では、第１の部分１０４および第２の部分１０６は、２等分面Ｐについて互いに鏡像である。図９の横断面図では、第１の部分１０４が上方部分であり、第２の部分１０６が下方部分である。しかし、封止部材１０２の対称性を考慮すると、第１の部分１０４が下方部分であり、第２の部分１０６が上方部分であるように、封止部材１０２は筐体１２の内部に挿入され得る。上方部分１０４および下方部分１０６の両方が、筐体に隣接する外側周面と、チューブに対して押し付ける内側周面とを含む。
【００３６】
代替の実施形態では、封止部材１０２が、第１の部分１０４および第２の部分１０６に類似する３つ以上の相手側を含むように構成され得る。本教示のこの態様に重要である点は、封止部材１０２の対称性によって、封止部材１０２が２つの配向のいずれの配向にも挿入され得るという点である。このように、封止部材１０２が筐体１２の中に不正確に挿入される可能性がない。
【００３７】
封止部材１０２が、適切な材料から一体的に構成され得る。一つの特定の応用では、封止部材１０２は、ＥＰＤＭ（エチレンプロピレンジエンモノマー）から構成され得る。しかし、他の材料が本教示の範囲内で使用され得ることが理解されるであろう。
【００３８】
実施形態の上記の説明は、例示および説明の目的のために提供された。その説明は、網羅的であり、または本開示を限定するように意図されるのではない。特定の実施形態の個々の要素または特徴は、一般に特定の実施形態に限定されるのではなく、しかし、詳細に示されず、または説明されないとしても、適切な場合は、相互交換可能であり、選択された実施形態の中で使用可能である。同じことが、多くの方法において更に変化され得る。そのような変形形態は、本開示から逸脱するとしてみなされるのではなく、そのような修正形態のすべてが、本開示の範囲内に含まれると意図される。
【００３９】
本開示が完全なものとなり、当業者に範囲を完全に伝達するように、例示的実施形態が提供される。特定の構成要素、装置および方法の例など、複数の特定の詳細が述べられて、本開示の実施形態の完全な理解を提供する。特定の詳細が採用される必要はなく、例示的実施形態が多くの異なる形態で実施されることが可能であり、本開示の範囲内を限定するように解釈すべきではないということが当業者にとって明らかであろう。いくつかの例示的実施形態において、よく知られているプロセス、よく知られている装置の構造、およびよく知られている技術は、詳細に説明されることはない。
【００４０】
本明細書で使用される用語は、特定の例示的実施形態だけを説明する目的のためであり、限定するようには意図されない。本明細書で使用される場合、単数形「１つの（ａ）」、「１つの（ａｎ）」および「その（ｔｈｅ）」は、文脈が明確にそうではないと指示しない限り、複数形もまた含むように意図される。「備える（ｃｏｍｐｒｉｓｅｓ）」、「備えている（ｃｏｍｐｒｉｓｉｎｇ）」、「含む（ｉｎｃｌｕｄｉｎｇ）」および「有する（ｈａｖｉｎｇ）」という用語は、包含的であり、したがって、述べられた特徴、整数、ステップ、作動、要素および／または構成要素の存在を特定するが、しかし、１つまたは複数の他の特徴、整数、ステップ、作動、要素、構成要素および／またはそのグループの存在または追加を排除するのではない。本明細書で説明される方法ステップ、プロセス、および作動は、実施の順番として特に識別されないならば、考察され、または例示される特定の順番でそれらを実施する必要は必ずしもないと解釈すべきである。追加的または代替的ステップが採用され得ることもまた理解すべきである。
【００４１】
要素または層が、別の要素または層「の上に」、「に係合される」、「に結合される」または「に連結される」として言及される場合、その要素または層が、直接他の要素または層の上に、直接他の要素または層に係合され、結合され、または連結され得る、あるいは介在する要素または層が存在する可能性がある。対照的に、要素が、別の要素または層の「直接上に」、別の要素または層に「直接係合される」、「直接結合される」または「直接連結される」として言及される場合、介在する要素または層が存在しない可能性がある。要素間の関係を説明するために使用される他の単語は、同様の様式で解釈すべきである（例えば、「間に」対「直接間に」、「隣接する」対「直接隣接する」など）。本明細書で使用される場合、「および／または」という用語は、関連して列挙される項目１つまたは複数のうちの任意のおよびすべての組み合わせを含む。
【００４２】
第１の、第２の、第３のなどの用語は、様々な要素、構成要素、領域、層および／または区分を説明するために本明細書で使用され得るが、これらの要素、構成要素、領域、層および／または区分は、これらの用語によって限定すべきではない。これらの用語は、１つの要素、構成要素、領域、層または区分を別の領域、層または区分から区別するのみのために使用され得る。「第１の」、「第２の」などの用語、および他の数字の用語は、本明細書で使用される場合、文脈で明確に指示されない限り、連続または順番を意味するのではない。したがって、下記に考察される第１の要素、構成要素、領域、層または区分は、例示的実施形態の教示から逸脱せずに、第２の要素、構成要素、領域、層または区分と呼ばれることが可能である。
【００４３】
「内側」、「外側」、「下に」、「下方」、「上に」、「上方」などの空間の相対的な用語は、図面の中で例示される、１つの要素または特徴と他の（１または複数の）要素または（１または複数の）特徴との関係を説明するための説明を容易にする目的で、本明細書で使用され得る。空間の相対的な用語は、図面の中に示される配向に加えて、使用または作動の際の装置の異なる配向を包含するように意図され得る。例えば、他の要素または特徴の「下方」または「下の」として説明される要素が、図面の中の装置が反転される場合、そのとき、別の要素または特徴の「上方」に配向されるであろう。したがって、例の用語「下方」は、上方および下方の両方の配向を包含することができる。装置は、そうではなく配向されることが可能であり（９０°回転される、または他の配向）、そのように解釈される、本明細書で使用される空間的な相対的記述語であることが可能である。
【符号の説明】
【００４４】
１０  クイックコネクタ
１２  筐体
１２Ａ  開放端部
１４  保持部材
１４Ａ  バンド部分
１６  遮断部材
１８  流体移送アセンブリ
２０  チューブ
２０Ａ  フランジ
２２  第１の端部
２４  反対側の端部
２６  第１の端部、第１の自由端部
２８  第２の端部
３０  間隙
３２  保持セグメント
３６  自由端部、共通円
３８  導入面
４０  セグメント
４２  セグメント
４４  第１の間隙
４５  第２の間隙
４６  下方円柱形部分
４８  上方円形フランジ
５０  セグメント
５２  タブ
５４  タブ
５６  穴
６２  封止パック
６４  Ｏ−リング
６６  スペーサ
６８  停止面
１００  クイックコネクタ
１０２  封止部材
１０４  第１の部分、上方部分
１０６  第２の部分、下方部分
Ａ  長手方向軸
Ｄ  直径
Ｐ  ２等分面
【手続補正２】
【補正対象書類名】特許請求の範囲
【補正対象項目名】全文
【補正方法】変更
【補正の内容】
【特許請求の範囲】
【請求項１】
径方向のフランジを含むチューブに着脱自在に係合するためのクイックコネクタであって、
略管状の筐体と、
前記筐体によって担持される保持部材であって、前記保持部材が第１の位置から第２の位置まで移動可能であり、前記保持部材が、前記チューブを前記筐体に対して前記第１の位置に固定するように作動する、保持部材と、
前記筐体によって担持される遮断部材であって、前記保持部材が前記第１の位置から前記第２の位置まで移動することを制限するための遮断部材と
を備える、クイックコネクタ。
【請求項２】
前記保持部材が前記第１の位置から前記第２の位置まで径方向に膨張可能である、請求項１に記載のクイックコネクタ。
【請求項３】
前記保持部材が前記第１の位置から前記第２の位置まで弾性的に膨張する、請求項２に記載のクイックコネクタ。
【請求項４】
前記チューブが前記筐体の内部に軸方向に前進することに応答して、前記保持部材が前記第１の位置から前記第２の位置まで弾性的に膨張する、請求項２に記載のクイックコネクタ。
【請求項５】
前記遮断部材が、周方向のフランジおよび円柱形部分を含む、請求項１に記載のクイックコネクタ。
【請求項６】
前記筐体から前記チューブを解放するために、前記保持部材が、前記第１の位置から前記第２の位置まで手動で移動可能である、請求項１に記載のクイックコネクタ。
【請求項７】
前記チューブと組み合わされる、請求項１に記載のクイックコネクタ。
【請求項８】
径方向のフランジを含むチューブに着脱自在に係合するためのクイックコネクタであって、
前記チューブを受けるための開放端部を含む略管状の筐体と、
前記筐体によって担持される保持部材であって、前記保持部材が第１の位置から第２の位置まで弾性的に膨張可能であり、前記保持部材が、前記筐体の前記開放端部を部分的に越えて内側に延在する少なくとも１対の保持セグメントを含み、前記保持部材が前記第１の位置にあり、共通円から前記第２の位置に径方向に変位可能である場合、各保持セグメントが、前記径方向のフランジの最大直径よりも小さい直径を含む前記共通円上に正常に最内縁部を含み、前記保持部材が、前記チューブを前記筐体に対して前記第１の位置に固定するように作動する、保持部材と、
前記保持部材が前記第１の位置から前記第２の位置まで移動することを制限するために、前記筐体によって担持される遮断部材と
を備える、クイックコネクタ。
【請求項９】
前記保持部材が、前記保持部材上に直径方向に配置される第１のセグメントと、第２のセグメントとを含む、請求項８に記載のクイックコネクタ。
【請求項１０】
前記遮断部材が、下方円柱形部分と、上方円形フランジとを含むトップハット形状である、請求項８に記載のクイックコネクタ。
【請求項１１】
前記下方円柱形部分と、前記上方円形フランジとが、１対の軸方向に延在するセグメントによって結合される、請求項１０に記載のクイックコネクタ。
【請求項１２】
前記保持部材が、前記下方円柱形部分と、前記上方円形フランジとの間に軸方向に配置される、請求項１０に記載のクイックコネクタ。
【請求項１３】
各保持セグメントが、前記上方円形フランジの内径に係合するために、外側に向く停止面を画定する、請求項１０に記載のクイックコネクタ。
【請求項１４】
前記外側に向く停止面が、前記クイックコネクタの長手方向軸に対してある角度で配置される、請求項１３に記載のクイックコネクタ。
【請求項１５】
前記角度が、０°より大きく、４５°未満である、請求項１４に記載のクイックコネクタ。
【請求項１６】
前記角度が、約２５°である、請求項１４に記載のクイックコネクタ。
【請求項１７】
前記筐体から前記チューブを意図的に解放するために、前記保持部材が、前記第１の位置から前記第２の位置まで手動で移動可能である、請求項８に記載のクイックコネクタ。
【請求項１８】
前記保持部材が、前記筐体の周りに周方向に延在する不完全円を画定するバンド部分を含む、請求項８に記載のクイックコネクタ。
【請求項１９】
径方向のフランジを含むチューブに着脱自在に係合するためのクイックコネクタであって、
前記チューブを着脱自在に受けるための筐体と、
前記チューブを前記筐体に対して固定するために前記筐体によって担持される保持部材と、
前記チューブを前記筐体に対して封止するために前記筐体内に配置される封止部材であって、前記封止部材が、上方部分と、下方部分とを含むように一体に形成され、前記上方部分および前記下方部分の両方が、前記筐体に隣接する外側周面と、前記チューブに対して押し付ける内側周面とを含む、封止部材と
を備える、クイックコネクタ。
【請求項２０】
前記封止部材の前記上方部分および前記下方部分が、２等分面に対して互いの鏡像である、請求項１９に記載のクイックコネクタ。
【外国語明細書】
2018028382000001.pdf